【手続補正書】
【提出日】平成18年11月24日(2006.11.24)
【手続補正１】
【補正対象書類名】明細書
【補正対象項目名】特許請求の範囲
【補正方法】変更
【補正の内容】
【特許請求の範囲】
【請求項１】  バグタイプフィルタハウジング内に収容できる液体ろ過システムで使用するためのフィルタエレメント組立体であって、前記フィルタエレメント組立体は、
前記フィルタハウジング内に配置する環状支持バスケットと、前記バスケット内に取除き可能に担持されているコラプシブルフィルタインサートとを備え、
前記バスケットは、剛性で円筒形に形成されていると共に同心に配置され、液体が通過して自由に流れ得る第１および第２のメッシュスクリーンを有し、
前記第１のスクリーンは、前記第２のスクリーンの内側に配置されて、第１の環状スペースが前記第１および第２のスクリーンの間に形成され、
前記円筒形スクリーンは、該円筒形スクリーンの長手方向の一端に配置されている平形円形メッシュスクリーンにより互いに接続され、
前記フィルタインサートは、前記第１の環状スペース内で支持され、可撓性フィルタ媒体から成る第１および第２の円筒形フィルタスリーブを有し、前記第１のフィルタスリーブは、前記第２のフィルタスリーブの横断面直径よりも小さい横断面直径を有し、前記第２のフィルタスリーブ内に同心に配置されて、前記第１および第２のフィルタスリーブの間に位置する第２の環状スペースと、前記第１のフィルタスリーブの内側に位置する円筒形スペースとを形成し、
前記第１および第２のフィルタスリーブ両方の長手方向の一端に接続されている剛性入口プレートと、前記第１および第２のフィルタスリーブの長手方向の他端に接続されている剛性端部閉プレートとを備え、
前記入口プレートは、液体流がろ過されて前記第２の環状スペース内に流入し得るために、前記第１および第２のフィルタスリーブの間の前記第２の環状スペースと連通すべく設けられた開口を内部に有し、かつ液体流が前記円筒形スペース内に流入するのを阻止する手段を有し、
前記閉プレートすなわち前記終端プレートは、液体流が前記第２の環状スペースから流出して前記終端プレートを貫流するのを阻止する閉表面を有し、前記フィルタインサートはコラプシブルであり、これにより前記入口プレートおよび前記閉プレートは、前記フィルタインサートが前記バスケットの外側に位置する場合に互いへ向かってまたは互いから遠ざかって動くことが可能であり、
前記フィルタインサートが前記バスケット内に担持されている場合に前記入口プレートおよび前記終端プレートは、互いから離れて位置し、前記終端プレートは前記平形円形メッシュスクリーンに隣接して位置し、前記フィルタインサートの前記第１のスリーブは、前記バスケットの前記第１のスクリーンに隣接しかつ同心で外側に位置し、前記フィルタインサートの前記第２のスリーブは、前記バスケットの前記第２のスクリーンに隣接しかつ同心で内側に位置し、これにより前記バスケットの前記円筒形スクリーンは、前記フィルタエレメントすなわち前記フィルタインサートの前記スリーブを液体流の圧力に抗して支持し、前記フィルタエレメント組立体がフィルタハウジング内に配置される場合に前記フィルタインサートの前記入口プレートは、前記フィルタハウジングに流入するろ過する液体を受入れるように向きを決められ、これにより液体は前記開口を通過し、前記第１および第２のフィルタスリーブの間の前記環状スペース内に流入し、まず初めに前記フィルタスリーブと前記バスケットの前記スクリーンとを貫流し、液体から不純物あるいは粒子がろ過されて除去されるフィルタエレメント組立体。
【請求項２】  前記入口プレートは、ろ過する液体を受入れる平面状表面をさらに備え、前記開口は前記平面状表面を貫通して配置されている請求項１に記載のフィルタエレメント組立体。
【請求項３】  前記入口プレートは、前記第１および第２のスリーブがそれぞれ対応して接続されている内側吊設フランジおよび外側吊設フランジをさらに備えている請求項２に記載のフィルタエレメント組立体。
【請求項４】  前記入口プレートと、前記終端プレートと、前記第１および第２のスリーブとが、ポリプロピレンである請求項３に記載のフィルタエレメント組立体。
【請求項５】  前記第１および第２のスリーブは、前記入口プレートの前記フランジに超音波溶接されている請求項４に記載のフィルタエレメント組立体。
【請求項６】  前記入口プレートの前記平面状表面は、前記第１のスリーブの内側に形成されているスペースと連通するために閉じられている請求項４に記載のフィルタエレメント組立体。
【請求項７】  前記終端プレートは、平面状閉表面と、前記平面状表面から懸吊する外側フランジと、前記外側フランジの方向と反対の方向で前記平面状表面から延びている内側フランジとを有する請求項４に記載のフィルタエレメント組立体。
【請求項８】  前記第１および第２のスリーブは、それぞれ対応して前記終端プレートの前記内側フランジおよび前記外側フランジに超音波溶接されている請求項７に記載のフィルタエレメント組立体。
【請求項９】  前記ハウジング内の前記フィルタエレメント組立体を支持する手段をさらに備えている請求項１に記載のフィルタエレメント組立体。
【請求項１０】  前記ハウジング内の前記フィルタエレメント組立体を支持する前記手段は、前記入口プレートと一体的に形成されている環状リングと、前記リングを支持するために前記バスケット上に形成されている肩部とを備え、前記肩部は、前記ハウジングにより支持されるように配置されている請求項９に記載のフィルタエレメント組立体。
【請求項１１】  前記入口プレートの前記リングは、Ｖ形溝を支持し、該Ｖ形溝の開放端は、前記フィルタエレメント組立体の長手軸に対して垂直な方向に面し、前記溝内に担持されているＯリングをさらに備え、前記フィルタインサートが前記バスケット内で支持されている場合に、前記Ｏリングは前記バスケットの側壁表面と係合している請求項１０に記載のフィルタエレメント組立体。
【請求項１２】  前記Ｖ形溝は上部フォークおよび下部フォークを備え、前記組立体がハウジング内で担持されている場合に前記上部フォークは、前記ハウジングのカバープレートに押圧されるように位置決めされて前記Ｏリングを圧縮し、これにより前記Ｏリングは前記バスケットの前記側壁表面を押圧する力を発揮し、流体シールが形成される請求項１１に記載のフィルタエレメント組立体。
【請求項１３】  前記組立体により担持され、前記バスケットの前記第１のスクリーンの内側に位置する第２段階カートリッジフィルタをさらに備えている請求項１２に記載のフィルタエレメント組立体。
【請求項１４】  バグタイプろ過システムで使用するコラプシブルフィルタエレメントであって、
可撓性フィルタ媒体から成る第１および第２の円筒形フィルタスリーブを備え、前記第１のフィルタスリーブは、前記第２のフィルタスリーブの横断面直径よりも小さい横断面直径を有し、前記第２のフィルタスリーブ内で同心に配置されて、前記第１および第２のフィルタスリーブの間に環状スペースを形成し、
前記第１および第２のフィルタスリーブ両方の長手方向の一端に接続されている剛性入口プレートと、前記第１および第２のフィルタスリーブ両方の長手方向の他端に接続されている剛性終端閉プレートとを備え、
前記入口プレートは、液体流がろ過されて前記環状スペース内に流入できるように、前記第１および第２のフィルタスリーブの間の前記環状スペースと連通すべく設けられた開口を内部に有し、
前記終端プレートは閉表面を有し、液体流が前記環状スペースから流出して該終端プレートを貫流するのを阻止し、前記フィルタエレメントはコラプシブルであり、これにより前記入口プレートおよび前記終端プレートは、前記フィルタエレメントが前記ろ過システの外側に位置する場合に互いへ向かってまたは互いから遠ざかって動くことが可能であり、
前記フィルタエレメントは、これが前記ろ過システム内に位置する場合に支持バスケット内で担持され、前記入口プレートおよび前記終端プレートは、前記フィルタエレメントがろ過システム内で担持されている場合に互いから離れて位置し、前記フィルタエレメントが前記ろ過システム内に位置する場合に前記入口プレートは、ろ過される液体を受入れるように向きが決められ、これにより液体は前記開口を貫流し、前記第１および第２のフィルタスリーブの間の前記環状スペース内に流入し、前記フィルタスリーブを通過し、液体から不純物あるいは粒子がろ過されて除去されるコラプシブルフィルタエレメント。
【請求項１５】  円筒形スペースが前記第１のフィルタスリーブの内側に形成され、前記入口プレートはろ過する液体を受入れる平面状表面を備え、前記開口は前記平面状表面を貫通して配置され、前記入口プレートの前記平面状表面は前記円筒形スペースと連通するために閉じられている請求項１４に記載のフィルタエレメント。
【請求項１６】  前記第１および第２のスリーブは、前記入口プレートの前記フランジに超音波溶接されている請求項１５に記載のフィルタエレメント。
【請求項１７】  前記終端プレートは、平面状閉表面と、前記平面状表面から懸吊する外側フランジと、前記外側フランジの方向と反対の方向で前記平面状表面から延びる内側フランジとを有し、前記第１および第２のスリーブは、それぞれ対応して前記内側フランジおよび前記外側フランジに超音波溶接されている請求項１６に記載のフィルタエレメント。
【請求項１８】  液体ろ過システムで使用し、バグタイプフィルタハウジング内に収容できるコラプシブルフィルタエレメントであって、前記フィルタエレメントは、
可撓性フィルタ媒体から成る第１、第２および第３の円筒形フィルタスリーブを備え、前記第２のフィルタスリーブは、前記第３のフィルタスリーブの横断面直径よりも小さい横断面直径を有し、前記第３のフィルタスリーブ内で同心に配置されて、前記第２および第３のフィルタスリーブの間に環状スペースを形成し、前記第１のフィルタスリーブは、前記第２のフィルタスリーブの横断面直径よりも小さい横断面直径を有し、前記第２のフィルタスリーブの内側で同心に配置されて、前記第１のフィルタスリーブの内側に円筒形内側スペースを形成し、
前記第１、第２および第３のフィルタスリーブの長手方向の一端に接続されている剛性入口プレートと、前記第１、第２および前記第３のフィルタスリーブの長手方向の他端に接続されている剛性端部閉プレートとを備え、
前記入口プレートは、液体流がろ過されて前記環状スペース内に流入できるように、前記第２および第３のフィルタスリーブの間の前記環状スペースと連通すべく設けられた複数の開口を内部に有し、前記入口プレートは、前記円筒形内側スペースと連通すべく設けられた中央開口を内部に有し、
前記終端プレートは閉表面を有し、液体流が前記終端プレートを貫流して前記環状スペースと、前記第１のスリーブの前記円筒形内側スペースとから流出するのを阻止し、前記フィルタエレメントはコラプシブルであり、これにより前記入口プレートおよび前記閉プレートは、前記フィルタエレメントが前記ハウジングの外側に位置する場合に互いへ向かっておよび互いから遠ざかって動くことが可能であり、
前記フィルタエレメントがフィルタハウジング内に位置する場合に前記入口プレートは、前記フィルタハウジングに流入するろ過する液体を受入れるように向きを決められ、これにより液体は前記複数の開口を貫流して前記環状スペース内に流入し、前記第２および第３のフィルタスリーブを通過し、前記中央開口を通過し、前記第１のスリーブの前記円筒形内側スペース内に流入し、前記第１のスリーブを通過し、不純物および粒子が液体からろ過されて除去されるコラプシブルフィルタエレメント。
【請求項１９】  バグタイプ液体ろ過システムで使用するためのコラプシブルフィルタエレメントであって、前記コラプシブルフィルタエレメントは、
可撓性フィルタ媒体から成る第１および第２の円筒形フィルタスリーブであって、前記第１のフィルタスリーブは、前記第２のフィルタスリーブの横断面直径よりも小さい横断面直径を有し、前記第２のフィルタスリーブ内に同心に配置されて、前記第１および第２のフィルタスリーブの間に位置する環状スペースを形成し、前記第１のフィルタスリーブは自身の内側に円筒形スペースを形成する、第１および第２の円筒形フィルタスリーブと、
前記第１および第２のフィルタスリーブ両方の長手方向の一端に接続されている入口プレートであって、前記入口プレートは外側周縁と、前記円筒形スペースの領域にほぼ対応する中心領域とを有し、前記第１のフィルタスリーブは、前記入口プレートの前記中心領域の周縁の近くで前記入口プレートに接続され、前記第２のフィルタスリーブは、前記入口プレートの前記外側周縁の近くで前記入口プレートに接続されている、入口プレートと、
前記第１および第２のフィルタスリーブ両方の長手方向の他端に接続されている終端プレートとを備え、
前記入口プレートは、液体流がろ過されて前記第２の環状スペース内に流入できるように、前記第１および第２のフィルタスリーブの間の前記環状スペースと連通すべく設けられた開口を内部に有し、かつ液体流が前記円筒形スペース内に流入するのを阻止する手段を有し、前記終端プレートは、液体流が第２の環状スペースから流出して前記終端プレートを貫流するのを阻止する閉表面を有し、前記フィルタエレメントはコラプシブルであり、これにより前記入口プレートおよび前記終端プレートは、前記フィルタエレメントが前記ろ過システムの外側に位置する場合には互いへ向かってまたは互いから遠ざかって動くことが可能であり、
前記フィルタエレメントは、自身が前記ろ過システム内に位置する場合には支持バスケット内で担持され、
前記フィルタエレメントが前記ろ過システム内に配置されている場合には前記入口プレートは、ろ過する液体を受入れるように向きが決められ、これにより液体は前記開口を通過し、前記第１および第２のフィルタスリーブの間の前記環状スペース内に流入し、前記フィルタスリーブを通過して、液体から不純物あるいは粒子がろ過されて除去されるコラプシブルフィルタエレメント。
【請求項２０】  前記入口プレートは、ろ過する液体を受入れる平面状表面を備え、前記開口は前記平面状表面を貫通して配置され、前記入口プレートは、前記中心領域の前記周縁で前記平面状表面から懸吊する内側フランジをさらに備え、前記入口プレートは、前記周縁の近くで前記内側フランジの外側に位置し前記平面状表面から懸吊する外側フランジをさらに備え、前記第１および第２のスリーブは、前記内側および外側フランジにそれぞれ接続され、前記入口プレートの前記平面状表面は閉じられて、前記円筒形スペースと連通している請求項１９に記載のフィルタエレメント。
【請求項２１】  前記第１および第２のスリーブは、前記入口プレートの前記フランジに超音波溶接されている請求項２０に記載のフィルタエレメント。
【請求項２２】  前記終端プレートは平面状閉表面と、前記終端プレートから懸吊する外側フランジと、前記終端プレートの前記外側フランジの方向と反対の方向で前記平面状表面から延びていると内側フランジとを有し、前記第１および第２のスリーブは、前記終端プレートの前記内側および外側フランジにそれぞれ超音波溶接されている請求項２１に記載のフィルタエレメント。
【請求項２３】  バグタイプフィルタハウジング内に収容できる液体ろ過システムで使用するためのフィルタエレメント組立体であって、前記フィルタエレメント組立体は、
前記フィルタハウジング内に配置する環状支持バスケットと、前記バスケット内に取除き可能に担持されているコラプシブルフィルタインサートとを備え、前記バスケットは、円筒形に形成されて同心に配置され、液体が内部を自由に貫流できる第１および第２のスクリーンを有し、前記第１のスクリーンは前記第２のスクリーンの内側に配置されて、第１の環状スペースが前記第１及び第１のスクリーンの間に形成され、前記円筒形スクリーンは、該円筒形スクリーンの長手方向の一端に配置されている接続エレメントにより互いに接続され、
前記フィルタインサートは、前記第１の環状スペース内で支持され、可撓性フィルタ媒体から成る第１および第２の円筒形フィルタスリーブを有し、前記第１のフィルタスリーブは、前記第２のフィルタスリーブの横断面直径よりも小さい横断面直径を有し、前記第２のフィルタスリーブ内に同心に配置されて、前記第１および第２のフィルタスリーブの間に位置する第２の環状スペースを形成し、
前記第１および第２のフィルタスリーブ両方の長手方向の一端に接続され、液体流がろ過されて前記第２の環状スペース内に流入できるように、前記第１および第２のフィルタスリーブの間に位置する前記第２の環状スペースと連通すべく設けられた開口を内部に有する入口プレートをさらに備え、
終端プレートをさらに備え、前記終端プレートは、液体流が前記第２の環状スペースから流出して該終端プレートを貫流するのを阻止するために前記第１および第２のフィルタスリーブの長手方向の他端に接続され、
前記フィルタインサートが前記バスケット内で担持されている場合には前記フィルタインサートの前記第１のフィルタスリーブは、前記バスケットの前記第１のスクリーンに隣接しかつ同心で外側に位置し、前記フィルタインサートの前記第２のフィルタスリーブは、前記バスケットの前記第２のスクリーンに隣接しかつ同心で内側に位置し、これにより前記バスケットの前記第１および第２のスクリーンは、前記フィルタエレメントの前記第１および第２のフィルタスリーブをそれぞれ液体流の圧力に抗して支持し、前記フィルタインサートの前記入口プレートは、ろ過する液体を受入れるように向きが決められ、これにより前記液体は前記開口を通過し、前記第１および第２のフィルタスリーブの間に位置する前記環状スペースに流入して、前記液体から不純物あるいは粒子がろ過されて除去されるフィルタエレメント組立体。
【請求項２４】  前記入口プレートは、ろ過する液体を受入れる剛性平面状表面をさらに備え、前記開口は前記平面状表面を貫通して配置されている請求項２３に記載のフィルタエレメント組立体。
【請求項２５】  前記入口プレートは、内側フランジおよび外側フランジをさらに備え、前記第１および第２のスリーブは前記内側および外側フランジにそれぞれ接続され、前記内側および外側フランジは、前記平面状表面から遠ざかって前記終端プレートへ向かう方向に延びている請求項２４に記載のフィルタエレメント組立体。
【請求項２６】  前記入口プレートと、前記終端プレートと、前記第１および第２のスリーブとが、ポリプロピレンである請求項２５に記載のフィルタエレメント組立体。
【請求項２７】  前記第１および第２のスリーブは、前記入口プレートの前記フランジに超音波溶接されている請求項２６に記載のフィルタエレメント組立体。
【請求項２８】  前記第１のスリーブは、内部に円筒形スペースを画成し、前記入口プレートの前記平面状表面は、前記円筒形スペースと連通するように閉じられている請求項２６に記載のフィルタエレメント組立体。
【請求項２９】  前記終端プレートは、平面状閉表面と、前記終端プレートから懸吊する外側フランジと、前記終端プレートの前記外側フランジの方向と反対の方向で前記平面状表面から延びている内側フランジとを有している請求項２６に記載のフィルタエレメント組立体。
【請求項３０】  前記第１および第２のスリーブは、前記終端プレートの前記内側および外側フランジにそれぞれ超音波溶接されている請求項２９に記載のフィルタエレメント組立体。
【請求項３１】  前記ハウジング内の前記フィルタエレメント組立体を支持する手段をさらに備えている請求項２３に記載のフィルタエレメント組立体。
【請求項３２】  前記ハウジング内の前記フィルタエレメント組立体を支持する前記手段は、前記入口プレートと一体的に形成されている環状リングと、前記リングを支持するために前記バスケット上に形成されている肩部とを備え、前記肩部は、前記ハウジングにより支持されるように配置されている請求項３１に記載のフィルタエレメント組立体。
【請求項３３】  前記入口プレートの前記リングは、Ｖ形溝を支持し、該Ｖ形溝の開放端は、前記フィルタエレメント組立体の長手軸に対して直交する方向に面し、前記溝内に支持されているＯリングをさらに備え、前記フィルタインサートが前記バスケット内で支持されている場合には、前記Ｏリングは前記バスケットの側壁表面と係合している請求項３２に記載のフィルタエレメント組立体。
【請求項３４】  前記Ｖ形溝は上部フォークおよび下部フォークを備え、前記組立体がハウジング内で担持されている場合には前記上部フォークは、前記ハウジングのカバープレートに押圧されるように位置決めされて前記Ｏリングを圧縮し、これにより前記Ｏリングは前記バスケットの前記側壁表面を押圧する力を発揮し、流体シールが形成されている請求項３３に記載のフィルタエレメント組立体。
【請求項３５】  前記組立体により担持され、前記バスケットの前記第１のスクリーンの内側に位置する第２段階カートリッジフィルタをさらに備えている請求項３４に記載のフィルタエレメント組立体。
【請求項３６】  前記円筒形スクリーンは、多孔であるかまたはメッシュスクリーンである請求項２３に記載のフィルタエレメント組立体。
【請求項３７】  前記接続エレメントは、円形で平らな多孔またはメッシュスクリーンである請求項３６に記載のフィルタエレメント組立体。
【請求項３８】  （ｉ）  略円筒形フィルタハウジングを備え、該略円筒形フィルタハウジングは、ろ過する液体を通過させるフィルタエレメントを収容する内側スペースを有し、前記ハウジングは、開いている頂部端と、前記ハウジングの前記頂部端で支持されている取外し可能な閉じ蓋とを有し、これにより前記ハウジングは、前記蓋が閉位置にある場合には閉じられ、前記蓋が開位置にある場合には前記ハウジングの内部に接近可能であり、
（ｉｉ）  前記フィルタエレメントを通過してろ過される液体を導くように前記ハウジングに接続されている入口導管と、ろ過された液体流を前記ハウジングから遠ざかるように導くために前記ハウジングの内部に接続されかつ液体連通されている出口導管とをさらに備え、
（ｉｉｉ）  前記ハウジングの前記内側スペース内で支持できるフィルタエレメント組立体をさらに備え、前記フィルタエレメント組立体は、可撓性フィルタ媒体から成る第１および第２のフィルタスリーブを備え、前記第１のフィルタスリーブは、前記第２のフィルタスリーブの横断面直径よりも小さい横断面直径を有し、前記第２のフィルタスリーブ内に同心に配置されて、前記第１および第２のフィルタスリーブの間に位置する環状スペースを形成し、前記第１のフィルタスリーブは自身の内側に円筒形スペースを形成し、前記フィルタエレメント組立体は入口プレートをさらに備え、前記入口プレートは前記第１および第２のフィルタスリーブの長手方向の一端に接続され、前記入口プレートは、外側周縁と、前記円筒形スペースの領域にほぼ対応する中心領域とを有し、前記フィルタエレメント組立体は、前記第１および第２のフィルタスリーブ両方の長手方向の他端に接続されている終端プレートをさらに備え、前記第２のフィルタスリーブは、前記入口プレートの外側周縁の近くで前記入口プレートに接続され、前記第１のフィルタスリーブは、前記中心円形領域の周縁の近くで前記入口プレートに接続され、前記入口プレートは、液体がろ過されて前記環状スペース内に流入できるように、前記第１および第２のフィルタスリーブの間に位置する前記環状スペースと連通するために、前記外側周縁と前記中心領域の周縁との間に配置されて内部に設けられたプレート開口を有し、前記終端プレートは、前記環状スペースからの液体流が前記終端プレートを貫流するのを阻止する閉表面を有し、前記入口プレートの前記中心円形領域内の中心開口は、前記入口導管と連通でき、これによりろ過する液体は、前記フィルタエレメント組立体が前記ハウジングの内部で支持されている場合、前記中心領域内の前記中心開口を通過して、前記入口プレート内の前記プレート開口を貫流して前記環状スペース内に流入し、前記入口導管および前記出口導管は前記ハウジングの底部に接続され、前記底部は、前記頂部端と向かい合う前記ハウジングの一端に配置され、
（ｉｖ）  前記フィルタエレメントは、自身が前記ハウジングの内部に位置する場合には支持バスケット内で担持可能であるフィルタシステム。
【請求項３９】  液体ろ過システムで使用するフィルタエレメントであって、該フィルタエレメントは、
環状スペースおよび内側円筒形スペースを形成するろ過手段を備え、
前記ろ過手段の長手方向の一端に接続されている入口手段をさらに備え、前記入口手段は、液体流がろ過されて前記環状スペース内に流入できるようにすると共に、前記液体流が前記円筒形スペース内に流入するのを阻止するために内部に設けられた開口を有し、
前記ろ過手段の長手方向の他端に接続されて、前記環状スペースからの液体流が前記ろ過手段を貫流するのを阻止する終端手段をさらに備え、
前記フィルタエレメントはコラプシブルであり、これにより前記入口プレートおよび前記終端プレートは、前記フィルタエレメントが前記ろ過システムの外側にある場合には互いへ向かっておよび互いから遠ざかって動くことが可能であり、また前記フィルタエレメントは、自身が前記ろ過システム内に位置する場合、支持バスケット内で担持され、その際に前記入口手段は、ろ過する液体を受入れるように向きが決められ、これにより前記ろ過する液体は前記開口を通過して前記環状スペース内に流入し、前記ろ過手段を貫流して、不純物あるいは粒子が除去されるフィルタエレメント。
【請求項４０】  フィルタハウジング内に収容できる液体ろ過システム内で使用するフィルタエレメント組立体であって、前記フィルタエレメント組立体は、前記フィルタハウジング内に配置される環状支持バスケットと、前記バスケット内に取外し可能に担持されているコラプシブルフィルタインサートとを備え、前記バスケットは、液体流が前記バスケットを貫流できるように同心に配置された第１及び第２のスクリーンを有し、前記第１および第２のスクリーンは互いに接続され、前記第１および第２のスクリューの間には第１の環状スペースが形成され、前記フィルタインサートは前記第１の環状スペース内で支持でき、前記フィルタインサートはろ過手段を有し、前記ろ過手段は第１の環状スペースおよび内側円筒形スペースを形成し、前記フィルタエレメント組立体は、前記ろ過手段の長手方向の一端に接続されている入口手段をさらに備え、前記入口手段は、液体流がろ過されて前記第１の環状スペース内に流入するように前記環状スペースと液体連通できるようにすると共に、前記液体流が前記円筒形スペース内に流入するのを阻止するために内部に設けられた開口を有し、前記フィルタエレメント組立体は終端手段をさらに備え、前記終端手段は、前記ろ過手段の長手方向の他端に接続されて、前記第２の環状スペースからの液体流が前記ろ過手段を貫流するのを阻止し、前記フィルタインサートはコラプシブルであり、これにより前記入口手段および前記終端手段は、前記フィルタインサートが前記支持バスケットの外側にある場合には互いへ向かっておよび互いから遠ざかって可動であり、前記インサートは前記支持バスケット内に配置され、その際に前記入口手段は、ろ過する液体を受け入れるように向きを決められ、これにより前記ろ過する液体は、前記フィルタエレメントが前記ろ過システム内に位置する場合、前記開口を通過して前記第２の環状スペース内に流入し、前記ろ過手段を通過して、不純物あるいは粒子が除去されるフィルタエレメント組立体。